(57)【要約】【課題】挿核施術の練習に適した練習用の人工貝を提供するものであり、また、その人工貝を用いた練習方法を提供することを課題とする。【解決手段】硬質材からなる擬似貝殻部と、軟質材からなる擬似内蔵部からなり、該擬似貝殻部は、２枚貝であり、上部の貝殻部が開閉可能に設けられており、該擬似内臓部の外縁部から生殖巣部までの真珠核を挿核するための挿入経路を示すガイド手段が設けられていることを特徴とする真珠貝の挿核練習用人工貝としたものであり、また、その人工貝を用い、貝殻の開放状態から段階的に貝殻部の開き角度を狭くして練習を行うことを特徴とする挿核練習方法としたものである。【選択図】図１
2009134199.tif 000002
【特許請求の範囲】
【請求項１】
硬質材からなる擬似貝殻部と、軟質材からなる擬似内蔵部からなり、該擬似貝殻部は、２枚貝であり、上部の貝殻部が開閉可能に設けられており、該擬似内臓部の外縁部から生殖巣部までの真珠核を挿核するための挿入経路を示すガイド手段が設けられていることを特徴とする真珠貝の挿核練習用人工貝
【請求項２】
前記の擬似貝殻部は、真珠貝の貝殻部の形状に成形された硬質樹脂材からなることを特徴とする請求項１に記載の真珠貝の挿核練習用人口貝。
【請求項３】
前記の擬似内臓部は、真珠貝の内臓部の形状に成形された軟質ゴム質材からなることを特徴とする請求項１に記載の真珠貝の挿核練習用人口貝。
【請求項４】
前記の擬似内臓部は、真珠貝の内臓部の形状に成形された軟質ゲル質材からなることを特徴とする請求項１に記載の真珠貝の挿核練習用人口貝。
【請求項５】
前記の擬似内臓部は、真珠貝の内臓部の形状に成形されたコンニャクからなることを特徴とする請求項１に記載の真珠貝の挿核練習用人口貝。
【請求項６】
前記のガイド手段は、線状材を前記の挿入経路に設けたことを特徴とする請求項１に記載の真珠貝の挿核練習用人口貝。
【請求項７】
前記のガイド手段は、着色粉末を前記の挿入経路に設けたことを特徴とする請求項１に記載の真珠貝の挿核練習用人口貝。
【請求項８】
前記のガイド手段は、前記の挿入経路に沿って溝部を設けたことを特徴とする請求項１に記載の真珠貝の挿核練習用人口貝。
【請求項９】
前記請求項１から８までのいずれかに記載の挿核練習用貝を用いて、前記のガイド手段に沿って挿核施術用メスで切開し、真珠核を同様にガイド手段に沿って挿核器具を用いて生殖巣部まで挿核する手順で挿核練習を行い、
最初は上部の貝殻部を開放状態で、挿核練習を行い、段階的に貝殻部の開き角度を狭くして練習を行うことを特徴とする真珠貝の挿核練習方法。
【発明の詳細な説明】
【技術分野】
【０００１】
本発明は、真珠核を真珠貝の体内に埋め込むための挿核施術の練習用の人工貝及びその貝を用いた挿核練習方法に関する。
【背景技術】
【０００２】
真珠貝の挿核施術は、真珠貝の生殖巣を切開し、その内部に真珠核と他の真珠貝から切り取った外套膜（ピース）とを共に挿入して真珠を養殖する方法が行われている。真珠貝の外套膜は、真珠質を分泌する働きがあり、このピースと呼ばれる外套膜の切片が増殖して真珠核を包んで真珠層を形成する役目を有するのである。
【０００３】
上記の真珠核を真珠貝の生殖巣内に挿入する作業は、挿核施術と呼ばれており、実際には、真珠貝を傷つけないように慎重に、かつ、わずかに開き、そのわずかに開いた部分から小さなメスを用いて生殖巣の一部を切開し、その切開口から特別な器具を用いて、球形の真珠核を生殖巣の奥まで挿入し、さらに、その表面上に他の真珠貝より切り取った外套膜（ピース）を密着させるというものである。
【０００４】
わずかに開いた貝の口から、真珠核及びピースを挿入する作業は、非常に熟練を要する作業であり、また、施術に際しては、真珠貝の体液が流れ出るため、非常に作業しにくい。
【０００５】
近年、この真珠貝の挿核施術を観光客が自分で行うことのできる、挿核体験などが行われるようになってきた。
【０００６】
これは、実際の真珠貝を数十枚用いて、挿核指導のもとに初めての観光客が挿核施術を行うというものである。
【０００７】
上記に示すように、本来、経験を必要とする作業であるため、プロの指導を受けたとしても、挿核施術が成功するとは限らず、数十枚の体験を行っても、１枚も真珠ができない場合も少なくない。
【特許文献１】特開2007-53957号公報
【発明の開示】
【発明が解決しようとする課題】
【０００８】
本発明は、前記した問題に鑑みてなされたものであり、挿核施術の練習に適した練習用の人工貝を提供するものであり、また、その人工貝を用いた練習方法を提供することを課題とする。
【課題を解決するための手段】
【０００９】
本発明は、前記に示す課題を解決するために、
硬質材からなる擬似貝殻部と、軟質材からなる擬似内蔵部からなり、該擬似貝殻部は、２枚貝であり、上部の貝殻部が開閉可能に設けられており、該擬似内臓部の外縁部から生殖巣部までの真珠核を挿核するための挿入経路を示すガイド手段が設けられていることを特徴とする真珠貝の挿核練習用人工貝としたものである。
【００１０】
該擬似貝殻は、硬質材料からなるものであればいずれでも良い。該擬似内臓部は、軟質材料からなるものであればいずれでも良い。貝殻部の開閉手段は、蝶番などいずれの開閉手段でも良い。該ガイド手段は、挿入経路が認識できるものであればいずれでも良く、挿核施術用メスの切開経路及び挿核器具の挿入経路を的確に誘導できるものであれば良い。内臓部の外縁部は、足糸部などが好ましい。
【００１１】
また、本発明では、前記の擬似貝殻部は、真珠貝の貝殻部の形状に成形された硬質樹脂材からなることを特徴とする真珠貝の挿核練習用人口貝としたものである。
【００１２】
例えば、貝殻の形状に成形されたプラスチック製の擬似貝殻などでも良い。
【００１３】
また、本発明では、前記の擬似内臓部は、真珠貝の内臓部の形状に成形された軟質ゴム質材からなることを特徴とする真珠貝の挿核練習用人口貝としたものである。軟質を有するゴム質製であればいずれでも良い。
【００１４】
また、本発明では、前記の擬似内臓部は、真珠貝の内臓部の形状に成形された軟質ゲル質材からなることを特徴とする真珠貝の挿核練習用人口貝としたものである。ゲル化剤や増粘剤などにより、ゲル状に固めて形成したものなどでも良い。内臓部は、少なくとも挿入経路となる足糸部から生殖巣部までの形状を模擬したものであれば良い。
【００１５】
ゲル化材としては、食用ゲル化材のゼラチン、寒天、ペクチン、カラギナン、キサンタンガムなどを使用することができる。
【００１６】
また、本発明では、前記の擬似内臓部は、真珠貝の内臓部の形状に成形されたコンニャクからなることを特徴とする真珠貝の挿核練習用人口貝としたものである。コンニャクは、市販のコンニャクを削って形成してもよく、内臓部の型を用いて固化、成形しても良い。
【００１７】
また、本発明では、前記のガイド手段は、線状材を前記の挿入経路に設けたことを特徴とする真珠貝の挿核練習用人口貝としたものである。該線状材は、金属製や樹脂製、繊維性などの線状や細い棒状、針状、糸状の材料を使用でき、挿入経路に沿わせて曲げて設けても良い。頭髪や動物の毛などを用いても良い。
【００１８】
また、本発明では、前記のガイド手段は、着色粉末を前記の挿入経路に設けたことを特徴とする真珠貝の挿核練習用人口貝としたものである。注射器などの注入器具で粉末や着色液、着色塗料などを挿入経路に付着させるものなどでも良い。
【００１９】
また、本発明では、前記のガイド手段は、前記の挿入経路に沿って溝部を設けたことを特徴とする真珠貝の挿核練習用人口貝としたものである。
【００２０】
また、本発明では、前記挿核練習用貝を用いて、前記のガイド手段に沿って挿核施術用メスで切開し、真珠核を同様にガイド手段に沿って挿核器具を用いて生殖巣部まで挿核する手順で挿核練習を行い、最初は上部の貝殻部を開放状態で、挿核練習を行い、段階的に貝殻部の開き角度を狭くして練習を行うことを特徴とする真珠貝の挿核練習方法としたものである。
【発明の効果】
【００２１】
本発明では、以下に示すような効果がある。
【００２２】
１）人工貝であり、本物の真珠貝を使用せずに練習することができるので、コストを低減でき、真珠貝を無駄にすることがなくなる。
【００２３】
２）貝殻を完全に開いて、繰り返し練習できるので、短期間に確実に挿核施術をマスターすることができる。本物の場合には、完全に開くと死んでしまうのでできなかった。
【００２４】
３）貝殻の角度を変えて練習できるので、練習者の習得状況に応じた練習ができる。完全に開いた状態から練習を進めて、慣れてきたら段階的に閉じて練習することができる。
【００２５】
４）軟質材による模擬内臓部であるため、本物と同様の感覚で挿核施術の練習ができる。メスの切開の感覚を習得できる。
【００２６】
５）練習を十分に行ってから、本物で挿核施術を行うことができるので、観光客など、素人でも、真珠核を的確に挿核することが可能となり、実際に真珠ができる可能性が著しく高くなる。
【発明を実施するための最良の形態】
【００２７】
以下に本発明の実施例について、図面を用いて説明する。
【００２８】
図１は、本発明による挿核練習用人工貝の実施例を示す図である。白色のプラスチック樹脂製の２枚貝の擬似貝殻１の内部にコンニャク製の擬似内臓部２が取り付けられている。
【００２９】
図２は、２枚貝の擬似貝殻部を開いた状態を示す図である。蝶番３により、上下の２枚の貝殻１ａ、１ｂは開閉自在となっている。下側の貝殻１ｂの内部には、内臓部２の取り付けようの針状の突起４が設けられている。
【００３０】
図３は、上記の擬似貝殻を閉じた状態を示す平面図である。
【００３１】
図４は、内臓部となるコンニャクを製造するための型を示す図である。
【００３２】
図５は、型により製造された内臓部のコンニャクを示す図である。（１）は型内で固まった状態を示す図であり、（２）は、型より取り出した状態を示す図である。
【００３３】
図６は、上記のプラスチック樹脂製の貝殻にコンニャク製の内臓部を取り付けた状態を示す図である。（２）は（１）の内臓部の拡大図であり、挿入経路を示すガイド手段として針金５が埋め込まれている。
【００３４】
図７は、本発明による人工貝を用いた真珠核の挿核練習を示す図である。貝殻１ａ、１ｂを開き、擬似内臓部２を取り付けた状態を示し、挿核施術用メス６と真珠核７を挿入する器具８を示している。
【００３５】
図８は、本発明による人工貝の内臓部を挿核施術用メスで切開している状態を示す図である。
ガイド手段である針金５に沿って、挿核施術用メス６により、足糸部近傍から、生殖巣部まで切開する。
【００３６】
図９は、本発明による人工貝に真珠核を挿入する状態を示す図である。挿核用器具７を用いて、前記の切開された挿入経路を通して生殖巣部まで真珠核７を挿入する。
【００３７】
図１０は、本発明による人工貝により、実際の挿核施術時と同様の貝殻の開き状態における挿核練習を示す図である。
【００３８】
実際の挿核施術においては、真珠貝にストレスを極力与えないようにするため、貝殻の開きは３ｃｍ以内とするため、図のように、ほとんど内部が見えまい状況での作業となる。
【００３９】
このため、練習貝を用いて、何度でも繰り返して挿核練習を行い、十分に挿核施術を習得してから、本物の真珠貝に挿核施術を行うことにより、観光客などによる挿核体験においても、実際に真珠ができる可能性が生まれるものである。
【図面の簡単な説明】
【００４０】
【図１】本発明による挿核練習用人工貝の実施例を示す図である。
【図２】本発明による人工貝の２枚貝の擬似貝殻部を開いた状態を示す図である。
【図３】本発明による人工貝の擬似貝殻を閉じた状態を示す平面図である。
【図４】本発明による人工貝の内臓部となるコンニャクを製造するための型を示す図である。
【図５】本発明による人工貝の型により製造された内臓部のコンニャクを示す図である。
【図６】本発明による人工貝のプラスチック樹脂製の貝殻にコンニャク製の内臓部を取り付けた状態を示す図である。
【図７】本発明による人工貝を用いた真珠核の挿核練習を示す図である。
【図８】本発明による人工貝の内臓部を挿核施術用メスで切開している状態を示す図である。
【図９】本発明による人工貝に真珠核を挿入する状態を示す図である。
【図１０】本発明による人工貝により、実際の挿核施術時と同様の貝殻の開き状態における挿核練習を示す図である。
【符号の説明】
【００４１】
１  擬似貝殻
１ａ  上部貝殻
１ｂ  下部貝殻
２  擬似内臓部
３  蝶番
４  針状の突５
５  ガイド手段（針金）
６  挿核施術用メス
７  真珠核
８  挿核用器具
【図１】
2009134199.tif 000003
【図２】
2009134199.tif 000004
【図３】
2009134199.tif 000005
【図４】
2009134199.tif 000006
【図５】
2009134199.tif 000007
【図６】
2009134199.tif 000008
【図７】
2009134199.tif 000009
【図８】
2009134199.tif 000010
【図９】
2009134199.tif 000011
【図１０】
2009134199.tif 000012